(57)【要約】      （修正有）【課題】噴霧腐食試験において試験槽内に供給される噴霧された腐食液の量を調整する噴霧量調整器を、容易かつ正確に設置可能とする噴霧塔および噴霧腐食試験機を提供する。【解決手段】噴霧塔１は、円筒１１と、円筒１１に挿入され内部において腐食液を噴霧する噴霧器３と、円筒１１の上部に固定される噴霧量調整器１２と、円筒１１の外周面に設けられ、噴霧量調整器１２を上部に設置する噴霧量調整器取付治具１３とを備える。【選択図】図１
0003205995.tif 000002
【実用新案登録請求の範囲】
【請求項１】
円筒と、
前記円筒に挿入され前記円筒の内部において腐食液を噴霧する噴霧器と、
前記円筒の上部に固定される噴霧量調整器と、
前記円筒の外周面に設けられ、前記噴霧量調整器を上部に設置する噴霧量調整器取付治具と
を備えた噴霧塔。
【請求項２】
前記噴霧量調整器取付治具は、
前記円筒の外周面に固定される距離調整用固定治具と、
前記距離調整用固定治具の上部に着脱可能に設置される噴霧量増加用治具から構成され、
前記円筒の上端と前記噴霧量調整器の上端とが成す開口が、噴霧腐食試験に規定の噴霧された腐食液の採取量を各試験片位置で得ることができる距離を成すように、前記噴霧量調整器を前記噴霧量調整器取付治具の上部に設置可能とする
請求項１に記載の噴霧塔。
【請求項３】
請求項１または請求項２に記載の噴霧塔を備える噴霧腐食試験機で、
水平断面が矩形状の試験槽と、
前記噴霧量調整器に設けられた第１の目印と、
前記試験槽内で垂直に立設する前記円筒に設けられた第２の目印を備え、
前記噴霧量調整器が前記噴霧量調整器取付治具の上部に設置され、前記第１の目印と前記第２の目印が近接したときに、前記噴霧量調整器が前記試験槽に対して前記試験槽内に一様な腐食液の噴霧を供給できる位置となるように構成されている噴霧腐食試験機。
【考案の詳細な説明】
【技術分野】
【０００１】
本考案は、各種材料の耐食性を評価する噴霧腐食試験用の噴霧塔および噴霧腐食試験機に関する。
【背景技術】
【０００２】
一般に、噴霧腐食試験機は、試験槽内に円筒状の噴霧塔を備えている。噴霧塔には空気ノズルと液ノズルを備えた噴霧器が側面から挿入されており、空気ノズルから噴出する圧縮空気により吸い上げられた液ノズル内の腐食液（塩水などの腐食性の溶液）は、微細粒子となって噴霧塔上部の開口から試験槽内に一様に噴霧され、試験槽内に配置された試験片上に自然落下する。
このような噴霧腐食試験機では、試験片を設置する位置で、試験槽内に噴霧された腐食液（噴霧液）を採取した場合に、位置の違いによる噴霧液の平均採取量（以下、噴霧採取量という）のばらつきが少ないことが、試験装置としての精度を確保するために重要となる。
【０００３】
非特許文献１の塩水噴霧試験方法では、試験片を配置する位置における噴霧のばらつきを確認する方法およびその噴霧採取量が規定されている。この方法においては、実際の試験に先だって、噴霧室（試験槽）内の試験片保持器を疑似試験片と噴霧液採取容器（漏斗）で満たした状態で２４時間連続噴霧し、約８０ｃｍ２の水平採取面積における噴霧液の１時間当たりの平均採取量が１．５±０．５ｍｌに入ることを確認する、と規定されている。また、噴霧採取量の規定値は実施する試験により異なり、例えば、１時間当たりの平均採取量が３．０±１．０ｍｌと、一般的な噴霧腐食試験より噴霧採取量が多めに規定された噴霧腐食試験方法も存在する。
【０００４】
これに伴い、噴霧腐食試験機の噴霧塔の上部には、噴霧器から噴霧された微細粒子の噴霧方向、距離を調節する逆円錐形状の方向体を有する噴霧量調整器が備えられている。この噴霧量調整器の上端と噴霧塔の円筒の上端とが成す開口の距離を調整することで、試験槽内に供給される噴霧された腐食液の量（噴霧量）の調整を行っている。
【先行技術文献】
【特許文献】
【０００５】
【非特許文献１】ＪＩＳ  Ｚ  ２３７１
【考案の概要】
【考案が解決しようとする課題】
【０００６】
従来の噴霧腐食試験機では、噴霧腐食試験に規定された噴霧採取量が各試験片位置で得られるような開口の距離を試験機メーカが定めており、噴霧腐食試験を実施する際には、噴霧腐食試験機を使用する作業者が開口の距離を物差しなどの測定器具で測定しながら位置を調整して、メーカが定めた距離となるように噴霧塔の円筒に噴霧量調整器を設置する必要があった。そのため、作業者によりその開口の距離にずれが生じるおそれがあった。また、実施する噴霧腐食試験によって噴霧採取量の規定値は異なるため、噴霧採取量の規定値が異なる噴霧腐食試験を実施する場合には、作業者が再度開口の距離を測定し、メーカが定めた距離を成すように噴霧量調整器を設置し直す必要があり、手間がかかっていた。
【０００７】
さらに、従来の噴霧腐食試験機の噴霧量調整器は、方向体を支えるリングが噴霧塔の円筒外周を囲むように配置され、リングに穿設されたねじ孔にねじを挿入して締め付けることで噴霧塔上部に固定されていた。しかし、噴霧量調整器は締め付けによるねじの圧力のみで固定していたため、ねじの締め付けが緩むことで噴霧量調整器が傾く、あるいは噴霧塔から落下するおそれがあった。
【０００８】
また、噴霧量調整器は、その構造自体が噴霧の流れを妨げないように、試験槽に対して所定の位置を成すように噴霧塔に固定されることが、試験槽内に噴霧が一様に供給されるために重要である。しかし、従来の噴霧腐食試験機では、その所定の位置を簡便に確認する方法が無く、作業者が目視でその配置を確認して、噴霧の流れを妨げない位置に固定する必要があった。
【０００９】
本考案はかかる問題点に鑑みてなされたもので、その目的は、噴霧塔の円筒の上部に噴霧量調整器を設置する際に、作業が簡便で、作業者の違いによる誤差を無くし、毎回同じ位置に設置でき、噴霧液の採取量の規定値が異なる試験を行う際にも噴霧量調整器を容易かつ正確に設置可能な噴霧腐食試験機用の噴霧塔および噴霧腐食試験機を提供することにある。
【課題を解決するための手段】
【００１０】
本考案の噴霧塔は、円筒と、円筒に挿入され円筒の内部において腐食液を噴霧する噴霧器と、円筒の上部に固定される噴霧量調整器と、円筒の外周面に設けられ、噴霧量調整器を上部に設置する噴霧量調整器取付治具とを備えたものである。
【００１１】
本考案の噴霧塔は、噴霧量調整器取付治具が、円筒の外周面に固定される距離調整用固定治具と、距離調整用固定治具の上部に着脱可能に設置される噴霧量増加用治具から構成され、円筒の上端と噴霧量調整器の上端とが成す開口が、噴霧腐食試験に規定の噴霧された腐食液の採取量を各試験片位置で得ることができる距離を成すように、噴霧量調整器を噴霧量調整器取付治具の上部に設置可能としたものである。
【００１２】
本考案の噴霧腐食試験機は、噴霧塔と、水平断面が矩形状の試験槽と、噴霧量調整器に設けられた第１の目印と、試験槽内で垂直に立設する円筒に設けられた第２の目印を備え、噴霧量調整器が噴霧量調整器取付治具の上部に設置され、第１の目印と第２の目印が近接したときに、噴霧量調整器が試験槽に対して試験槽内に一様な腐食液の噴霧を供給できる位置となるように構成されたものである。
【考案の効果】
【００１３】
本考案の噴霧塔によれば、円筒の外周面に設けた距離調整用固定治具の上に噴霧量調整器を設置することで、噴霧塔の円筒の上端と噴霧量調整器の上端とが成す開口の距離が、噴霧腐食試験に規定の噴霧採取量を各試験片位置で得ることができる距離を成すように噴霧量調整器を容易に設置できるため、誰でも簡便に同じ位置に噴霧量調整器を設置することができる。また、従来装置と比べて、噴霧量調整器の位置のずれまたは落下などのおそれが低減されるため、開口の成す距離がずれることによる噴霧液の量および噴霧採取量のばらつきを抑えることができる。さらに、距離調整用固定治具の上に噴霧量増加用治具を設けることで、噴霧採取量の規定値が異なる試験を行う際も容易に噴霧量調整器の設置位置の変更を行うことができる。
【図面の簡単な説明】
【００１４】
【図１】本考案の第１の実施の形態に係る噴霧塔を備えた噴霧腐食試験機の概略図である。
【図２】本考案の第１の実施の形態に係る噴霧塔の一部の構成例を表す概略図である。
【図３】図１に示した噴霧腐食試験機の試験槽の水平断面の形状を表す概略図である。
【図４】本考案の第２の実施の形態に係る噴霧塔の上面からの形状を表す概略図である。
【図５】本考案の第２の実施の形態に係る噴霧塔の一部の構成例を表す概略図である。
【考案を実施するための形態】
【００１５】
以下、本考案の実施の形態について図面を参照して詳細に説明する。
【００１６】
＜１．第１の実施の形態＞
［噴霧塔１を備えた噴霧腐食試験機１００の構成］
図１は本考案の第１の実施の形態に係る噴霧塔１を用いた噴霧腐食試験機１００の全体構成図である。図１の噴霧腐食試験機１００は、水平断面が矩形状の試験槽２の中央部（矩形の対角線の交点付近）に噴霧器３を備えた噴霧塔１を配置している。噴霧塔１は、その上部に後述する噴霧量調整器１２と噴霧量調整器取付治具１３を備えている。試験槽２内の試験片保持器５には、試験片Ｓと噴霧液採取器６が複数個設置されている。この噴霧液採取器６は、導管６１によって試験槽２外に設置した噴霧採取量確認容器６２に接続している。
【００１７】
噴霧器３は、液ノズル３１と、空気ノズル３２とを有し、同一平面内で液ノズル３１の先端部および空気ノズル３２の先端部が近接するようにブロックでそれらを一体に構成したものである。噴霧器３によって噴霧された腐食液（噴霧液）は、噴霧塔１の円筒１１の上端と噴霧量調整器１２の上端とが成す開口１４から試験槽２内に導入され、試験片保持器５に載置された試験片Ｓ及び噴霧液採取器６上に自由落下する。
噴霧液採取器６上に落下した噴霧液は、導管６１を通じて試験槽２外に設置された噴霧採取量確認容器６２に到達する。噴霧採取量確認容器６２の目盛で採取量を読み取り、噴霧液の１時間当たりの平均採取量を算出することで、噴霧の均一性を確認することができる。
【００１８】
［噴霧塔１の構成］
図２は、本考案の第１の実施の形態に係る噴霧塔１の一部を示す概略図である。噴霧塔１は、鉛直方向に延在する円筒１１と、その上部に配置された噴霧量調整器１２とを有する。円筒１１の下部には空気流通孔（図示せず）がいくつか設けられていてもよい。円筒１１の内部空間には、その側面から噴霧器３が、噴霧腐食試験機１００の試験槽２に対して一定の角度を成した状態（例えば、水平断面において、矩形状の試験槽２の長辺から立設する垂線に対して４５°の角度を成すような状態）で挿入されている。
【００１９】
噴霧量調整器１２は、噴霧器３によって噴霧された微細粒子状の腐食液（噴霧液）の噴霧方向および噴霧距離を調節するとともに、試験槽２内に供給される噴霧液の量（噴霧量）の調整を行うものである。噴霧量調整器１２は、方向体１２Ａ、リング１２Ｂ、および２本の支柱１２Ｃを有しており、この逆円錐形状の方向体１２Ａは、円環状のリング１２Ｂから垂直に立設した２本の支柱１２Ｃを介して、固定されている。リング１２Ｂは円筒１１の上方外周に遊嵌され、側面に設けられたねじ孔（図示せず）にねじ１２Ｄを挿入することにより、ねじ１２Ｄの締め付けで噴霧量調整器１２を円筒１１の上部に固定する。この時、円筒１１の上端と逆円錐形状の方向体１２Ａの上端との間には開口１４が形成され、この開口１４を通して、円筒１１内で噴霧された腐食液の微細粒子が試験槽２内へ供給される。なお、噴霧量調整器１２がこのリング１２Ｂを介して円筒１１に取り付けられたとき、方向体１２Ａの底部（倒立した円錐の頂部）はほぼ円筒１１の中心軸上に位置するようになっている。また、逆円錐形状の方向体１２Ａの母線は腐食液の微細粒子を全方向に一様に噴霧させるため、円弧状になっている。さらに、リング１２Ｂの上面には、円筒１１との位置合わせ用の目印Ｐ１が設けられている。
【００２０】
噴霧量調整器取付治具１３は、円筒１１の外周面の一部に密着するように固定された円環状の部材である距離調整用固定治具１３Ａにより構成されており、その上部に噴霧量調整器１２のリング１２Ｂを載置可能な程度の厚みを有するものである。この距離調整用固定治具１３Ａは、噴霧量調整器１２を上部に載置した際に、円筒１１の上端と噴霧量調整器１２の上端が成す開口１４が、標準的な噴霧腐食試験（例えば、非特許文献１）に規定の噴霧採取量が各試験片Ｓの位置で得られるような噴霧液の量を試験槽２に供給できる距離Ｄに位置を固定されている。また、距離調整用固定治具１３Ａが固定された円筒１１の外周面の上方には、噴霧量調整器１２の位置合わせ用の目印Ｐ２が設けてある。噴霧量調整器１２を取り付ける際には、噴霧量調整器１２のリング１２Ｂを円筒１１の外周面に設けられた距離調整用固定治具１３Ａの上に載置することにより、噴霧量調整器１２のリング１２Ｂの上面に設けられた目印Ｐ１と、円筒１１に設けられた目印Ｐ２が近接するように、噴霧量調整器１２を円周方向に回転させて向きを調整する。
【００２１】
図３は、噴霧塔１を備えた噴霧腐食試験機１００の試験槽２における水平断面の形状を表す概略図である。本考案の噴霧塔１では、目印Ｐ１と目印Ｐ２の位置を合わせることにより、噴霧量調整器１２は、噴霧腐食試験機１００の矩形状の試験槽２の長辺に対して、噴霧量調整器１２の２本の支柱１２Ｃを結ぶ線分Ｌが、水平断面において平行となるような位置で円筒１１に固定される。この噴霧量調整器１２が固定される位置は、円筒１１内で噴霧された腐食液が開口１４から試験槽２内へ供給される際に、噴霧量調整器１２の２本の支柱１２Ｃによる噴霧の流れの乱れが最小となる位置であるため、試験槽２内へ噴霧液を一様に供給することができる。
【００２２】
［噴霧塔１の作用・効果］
このように、本考案の噴霧塔１では、円筒１１の外周面に距離調整用固定治具１３Ａを設けたことで、噴霧量調整器１２を距離調整用固定治具１３Ａ上に設置して位置を固定することが可能となった。したがって、噴霧量調整器１２を設置するたびにその距離Ｄを測定する必要がなく、誰でも簡便に同じ位置に噴霧量調整器１２を固定することができる。また、ねじ１２Ｄの締め付け力のみで固定していた従来装置と比べて、噴霧量調整器１２の位置のずれまたは落下などのおそれが低減され、開口１４の成す距離Ｄがずれることによる噴霧液の量および噴霧採取量のばらつきを抑えることが可能となった。
【００２３】
さらに、噴霧量調整器１２の上面と円筒１１の外周面にそれぞれ位置合わせ用の目印Ｐ１および目印Ｐ２を設けたため、目印Ｐ１および目印Ｐ２が近接するように位置を調整することで、噴霧量調整器１２を、噴霧腐食試験機１００の試験槽２に対して試験槽２内に一様な腐食液の噴霧を供給できる位置に固定できる。したがって、噴霧量調整器１２の円周方向の位置のずれによる噴霧の流れの乱れを低減し、より均質な噴霧を試験槽２内に供給することができる。
【００２４】
＜２．第２の実施の形態＞
［噴霧量増加用治具１３Ｂを備えた噴霧塔１’の構成］
図４は、本考案の第２の実施の形態に係る噴霧塔１’の上面からの形状を表わす概略図である。噴霧塔１’において、噴霧量調整器取付治具１３’は、距離調整用固定治具１３Ａと噴霧量増加用治具１３Ｂとねじ１３Ｃにより構成されている。
【００２５】
噴霧量増加用治具１３Ｂは、水平断面の形状がコの字型で、垂直方向に一定の高さを有する部材であり、側面にねじ１３Ｃを挿入するねじ孔（図示せず）を備えている。噴霧量増加用治具１３Ｂは、距離調整用固定治具１３Ａの上部に設置され、ねじ１３Ｃの締め付けにより位置が固定される。
【００２６】
図５は本考案の第２の実施の形態に係る噴霧塔１’の一部を示す概略図である。第２の実施の形態に係る噴霧塔１’では、噴霧量調整器１２は距離調整用固定治具１３Ａの上に固定された噴霧量増加用治具１３Ｂの上部に載置される。このとき、噴霧塔１’の円筒１１の上端と噴霧量調整器１２の上端とが成す距離Ｄ’は、噴霧採取量の規定値がより多い噴霧腐食試験（例えば、約８０ｃｍ２の水平採取面積における１時間当たりの平均採取量が３．０±１．０ｍｌ）において、その規定値を満たすことができる噴霧液の量を、試験槽２内に供給できる距離となっている。
また、円筒１１の外周面の上方には、噴霧量増加用治具１３Ｂを距離調整用固定治具１３Ａの上部に載置した場合にその上端より上に位置するように、噴霧液の量を増加させる場合の噴霧量調整器１２の位置合わせ用の目印Ｐ３が設けてある。目印Ｐ３は、通常の噴霧腐食試験用の位置合わせ用の目印Ｐ２と垂直の関係にある。
【００２７】
［噴霧塔１’の作用・効果］
このように、本考案の噴霧塔１’によれば、噴霧量増加用治具１３Ｂを距離調整用固定治具１３Ａの上部に設置することで、ねじ１２Ｄの締め付け力のみで固定していた従来装置と比べて、噴霧量調整器１２が傾くまたは落下するおそれが低減されるとともに、より多量の噴霧採取量が規定された噴霧腐食試験を実施する場合においても、より簡便に噴霧量調整器１２を設置し、規定の噴霧採取量を満たす噴霧液の量を均質に試験槽２内へ供給することが可能となった。
【００２８】
また、実施例１と同様に、円筒１１の外周面に位置合わせ用の目印Ｐ３を設けたため、噴霧量調整器１２を噴霧腐食試験機１００の試験槽２に対して試験槽２内に一様な腐食液の噴霧を供給できる位置に固定し、より均質な噴霧を試験槽２内に供給することができる。
【００２９】
以上、実施の形態を挙げて本考案を説明したが、本考案は上記実施の形態に限定されるものではなく、種々の変形が可能である。例えば、上記実施の形態において説明した各部材の配置位置や形状、個数等は例示であって、上記実施の形態において説明したものに限定されない。具体的には、上記実施の形態では、距離調整用固定治具１３Ａの形状を円環状としたが、本発明はこれに限定されるものではない。距離調整用固定治具１３Ａは、例えば水平断面の形状が楕円形でもよいし、多角形（例えば三角形や四角形）であってもよい。また、同様に、上記実施の形態では、噴霧量増加用治具１３Ｂは水平断面の形状がコの字形としたが、例えば円形でもよいし、多角形であってもよい。
【００３０】
さらに、上記実施の形態においては、噴霧量増加用治具１３Ｂを備えた場合の噴霧塔１の開口１４’の距離Ｄ’は、１時間当たりの噴霧液の平均採取量が３．０±１．０ｍｌとなるような噴霧を試験槽２内に供給できる距離としていたが、異なる距離としてもよい。
【符号の説明】
【００３１】
１、１’…噴霧塔、１１…円筒、１２…噴霧量調整器、１２Ａ…方向体、１２Ｂ…リング、１２Ｃ…支柱、１２Ｄ…ねじ、１３、１３’…噴霧量調整器取付治具、１３Ａ…距離調整用固定治具、１３Ｂ…噴霧量増加用治具、１３Ｃ…ねじ、１４，１４’…開口、２…試験槽、３…噴霧器、３１…液ノズル、３２…空気ノズル、４…溶液溜め、５…試験片保持器、６…噴霧液採取器、６１…導管、６２…噴霧採取量確認容器、７…溶液補給タンク、８…加湿器、９…空気飽和器、１００…噴霧腐食試験機、Ｐ１，Ｐ２，Ｐ３…目印、Ｓ…試料、Ｄ、Ｄ’…距離。
【図１】
0003205995.tif 000003
【図２】
0003205995.tif 000004
【図３】
0003205995.tif 000005
【図４】
0003205995.tif 000006
【図５】
0003205995.tif 000007